(57)【要約】【課題】被洗浄物の洗浄を設備とインラインにて行うことができ、しかも迅速に且つ確実に行うことができるスチーム洗浄装置を提供する。【解決手段】スチーム洗浄装置のスチーム噴射手段は、ノズル口を側面に開口形成する細長い円筒状のスチームノズル管と、スチームノズル管の外周を包囲しノズル口の全体を露出させた噴出口を側面に開口形成する温風管とを有する。スチームノズル管は、ノズル口を長手方向にスリット状に開口形成したスリットノズル口とし、両端部にスチーム導入管を接続しスリットノズル口からスチームをカーテン状に噴射させる。スチーム噴射手段は、長手方向を搬送手段での被洗浄物送り方向と交差する方向に向け噴出口を搬送手段側に向け、噴出口からはスチームノズル管のスリットノズル口からのカーテン状のスチームとともにカーテン状スチームの外周囲に温風管内の温風を噴射させ、これに搬送手段に配置される被洗浄物を通過させる。【選択図】図１
2015085216.tif 000002
【特許請求の範囲】
【請求項１】
油分や汚れ等が付着した加工品又は加工品を形成した帯材などの被洗浄物を設備とインラインにて洗浄するための洗浄装置であって、
設備に隣接して設置され、設備から送り出される被洗浄物又は設備へ送り込まれる被洗浄物が配置される搬送手段と、搬送手段に設置され、搬送手段に配置された被洗浄物に対してスチームを噴き付けてスチーム洗浄するスチーム噴射手段とを備え、
スチーム噴射手段は、スチームを噴射させるノズル口を側面に開口形成する細長い円筒状のスチームノズル管と、スチームノズル管の外周を包囲しスチームノズル管のノズル口の全体を露出させた噴出口を側面に開口形成する温風管とを有し、
スチームノズル管は、上記ノズル口を長手方向に沿ってスリット状に開口形成したスリットノズル口とし、両端部にスチーム導入管を接続して当該スリットノズル口からスチームをカーテン状に噴射させる構成とし、
温風管は、温風導入管を接続して上記噴出口から温風を噴射させる構成とし、
上記スチーム噴射手段は、長手方向を搬送手段での被洗浄物送り方向と交差する方向に向けるとともに上記噴出口を搬送手段側に向けて配設し、上記噴出口からはスチームノズル管のスリットノズル口から噴射するカーテン状のスチームとともに当該カーテン状スチームの外周囲に温風管内の温風を噴射させ、これに搬送手段に配置される被洗浄物を通過させる構成としたスチーム洗浄装置。
【請求項２】
請求項１に記載のスチーム洗浄装置において、
上記スチーム噴射手段は、さらに、スチームノズル管又は温風管に加熱体を配設して噴出口周辺の雰囲気に熱を与えるように構成したスチーム洗浄装置。
【請求項３】
請求項１又は２に記載のスチーム洗浄装置において、
上記スチーム噴射手段は、上記搬送手段の上下に配設されているスチーム洗浄装置。
【請求項４】
請求項１〜３のいずれか１項に記載のスチーム洗浄装置において、
上記スチーム噴射手段と対向して上記搬送手段を跨ぐ位置に被洗浄物の油分や汚れを吸引する吸引手段がさらに設けられているスチーム洗浄装置。
【請求項５】
請求項１〜４のいずれか１項に記載のスチーム洗浄装置において、
上記スチームノズル管は、上記スリットノズル口を形成する円筒状の外管と、外管内に空間を有して挿入されて両端部に上記スチーム導入管を接続する円筒状の内管とを有し、内管の側面には上記スリットノズル口位置と重ならない位置に外管内にスチームを流出させる流出口が形成されているスチーム洗浄装置。
【請求項６】
油分や汚れ等が付着した加工品又は加工品を形成した帯材などの被洗浄物を設備とインラインにて洗浄するための洗浄装置であって、
設備に隣接して設置され、設備から送り出される被洗浄物又は設備へ送り込まれる被洗浄物に対してスチームを噴き付けてスチーム洗浄するスチーム噴射手段を備え、
スチーム噴射手段は、円筒状の外周壁部及び内周壁部を形成する二重管構造とし内周壁部内を通過する上記被洗浄物にスチームを噴射するように構成したスチーム噴射体を有し、
スチーム噴射体は、両端部における外周壁部と内周壁部との間のすき間が閉塞され、外周壁部と内周壁部との間の空間にスチームを導入するスチーム導入管が外周壁部に接続され、内周壁部には周方向の全周にわたってスリット状に開口してスチームを噴射させる環状スリットノズル口が開口形成され、外周壁部内の空間に導入されたスチームを内周壁部の環状スリットノズル口から円形状に噴射させ、これに内周壁部内に送り込まれる被洗浄物を通過させる構成としたスチーム洗浄装置。
【請求項７】
請求項６に記載のスチーム洗浄装置において、
上記環状スリットノズル口は、スチームの噴射方向が内周壁部の一端側に傾斜して噴射されるようにテーパ状断面に形成されているスチーム洗浄装置。
【請求項８】
請求項６又は７に記載のスチーム洗浄装置において、
上記スチーム噴射手段は、さらに、上記スチーム噴射体の軸方向に温風噴射体を接続してユニット化され、
温風噴射体は、円筒状の外周壁部及び内周壁部を形成する二重管構造とし上記被洗浄物が内周壁部内を通過するように構成し、両端部における外周壁部と内周壁部との間のすき間が閉塞され、外周壁部と内周壁部との間の空間に温風を導入する温風導入管が外周壁部に接続され、内周壁部には周方向の全周にわたって開口して温風を噴射させる環状温風噴射口が開口形成され、外周壁部内の空間に導入された温風を内周壁部の環状温風噴射口から噴射させてスチーム噴射体から噴射するスチーム温度の低下を防ぐように構成したスチーム洗浄装置。
【請求項９】
請求項６〜８のいずれか１項に記載のスチーム洗浄装置において、
上記スチーム噴射手段は、さらに、上記スチーム噴射体の軸方向に被洗浄物の油分や汚れを吸引する筒状の吸引体が配設されているスチーム洗浄装置。
【発明の詳細な説明】
【技術分野】
【０００１】
本発明は、例えば、プレス加工品、線加工品、鍍金処理前の加工品、成形品等のように機械設備で加工され油分や汚れが付着した加工品自体又は加工品を形成した帯材などの被洗浄物を洗浄するための洗浄装置に関する。
【背景技術】
【０００２】
従来、加工品の脱脂洗浄等を行う洗浄装置として、油分や汚れが付着した加工品や加工品を形成した帯材を洗浄液に浸漬する方式が多く利用されている。例えば、プレス機でプレス加工され潤滑油等の油分や切削粉等の汚れが付着した加工品は、プレス機から離れた洗浄装置へ移送し、洗浄装置において加工品を洗浄カゴに入れて洗浄槽に貯留した洗浄液中に浸して油分や汚れを洗浄除去する。そして、洗浄済みの加工品を鍍金等の次工程へ移送するといった作業が行われている。
【先行技術文献】
【特許文献】
【０００３】
【特許文献１】特開平７−１２６８７９号公報
【特許文献２】特開平１１−４７７０５号公報
【発明の概要】
【発明が解決しようとする課題】
【０００４】
上記洗浄装置では、被洗浄物である加工品を大量に洗浄カゴに入れ洗浄液に浸漬して洗浄を行うため、プレス機や鍍金装置等の設備と分離し独立して洗浄作業が行われる。そのため、洗浄のために必要な時間が多くかかり、プレス加工等した加工品を最終製品とするまでの生産効率を上げるのが困難であった。また、洗浄時は、洗浄カゴ内の大量の加工品同士が重なり合って洗浄液が加工品表面全体に均一に回り込み難くなり、洗浄不足を生じさせる場合もあった。
【０００５】
本発明は、上記事情に鑑みてなされたものであり、加工品である被洗浄物の洗浄を設備とインラインにて行うことができ、しかも洗浄不足を生じさせず被洗浄物の洗浄を迅速に且つ確実に行うことができるスチーム洗浄装置を提供することを目的とする。
【課題を解決するための手段】
【０００６】
本発明に係るスチーム洗浄装置は、
油分や汚れ等が付着した加工品又は加工品を形成した帯材などの被洗浄物を設備とインラインにて洗浄するための洗浄装置であって、
設備に隣接して設置され、設備から送り出される被洗浄物又は設備へ送り込まれる被洗浄物が配置される搬送手段と、搬送手段に設置され、搬送手段に配置された被洗浄物に対してスチームを噴き付けてスチーム洗浄するスチーム噴射手段とを備え、
スチーム噴射手段は、スチームを噴射させるノズル口を側面に開口形成する細長い円筒状のスチームノズル管と、スチームノズル管の外周を包囲しスチームノズル管のノズル口の全体を露出させた噴出口を側面に開口形成する温風管とを有し、
スチームノズル管は、上記ノズル口を長手方向に沿ってスリット状に開口形成したスリットノズル口とし、両端部にスチーム導入管を接続して当該スリットノズル口からスチームをカーテン状に噴射させる構成とし、
温風管は、温風導入管を接続して上記噴出口から温風を噴射させる構成とし、
上記スチーム噴射手段は、長手方向を搬送手段での被洗浄物送り方向と交差する方向に向けるとともに上記噴出口を搬送手段側に向けて配設し、上記噴出口からはスチームノズル管のスリットノズル口から噴射するカーテン状のスチームとともに当該カーテン状スチームの外周囲に温風管内の温風を噴射させ、これに搬送手段に配置される被洗浄物を通過させる構成としたものである。
【０００７】
上記構成より、過熱蒸気であるスチームをカーテン状に噴射し、このスチームカーテンに油分や汚れ等が付着した被洗浄物を通過させることにより、被洗浄物の表面全体にわたってスチームが勢いよく噴き付けられる。スチームノズル管には、両端部からスチームが導入されるので、両端部から離れたスリットノズル口の中央部からも勢いが弱くならずにスチームが噴射される。これにより、スリットノズル口の全長にわたってスチームが均一に噴射され、持続性のあるスチームカーテンが形成される。従って、このカーテン状のスチームの噴き付けによって、被洗浄物に付着した油分等が迅速に且つ確実に除去される。また、カーテン状スチームの外周囲に温風をまとわせて噴射することにより、スチームの温度低下が抑制されるから、スチームが結露して被洗浄物に水滴が付着することを防止することができる。従って、洗浄後の被洗浄物に対して乾燥工程を省略することができる。
【０００８】
上記スチーム噴射手段は、さらに、スチームノズル管又は温風管に加熱体を配設して噴出口周辺の雰囲気に熱を与えるように構成するのが望ましい。
これにより、噴出口から噴射したカーテン状スチームの温度低下を防ぐことができるから、被洗浄物の油分等の除去を一層迅速に且つ一層確実に行うことができ、また、被洗浄物におけるスチームの結露を確実に防止することができる。
【０００９】
上記スチーム噴射手段は、上記搬送手段の上下に配設されているのが望ましい。
これにより、上下のスチーム噴射手段からそれぞれカーテン状のスチームを噴射させて被洗浄物の表裏面に付着した油分等を迅速に且つ確実に除去することができる。
【００１０】
上記スチーム噴射手段と対向して上記搬送手段を跨ぐ位置に被洗浄物の油分や汚れを吸引する吸引手段がさらに設けられているのが望ましい。
これにより、カーテン状スチームで除去された被洗浄物の油分や汚れを周囲に撒き散らすことが防止される。
【００１１】
上記スチームノズル管は、上記スリットノズル口を形成する円筒状の外管と、外管内に空間を有して挿入されて両端部に上記スチーム導入管を接続する円筒状の内管とを有し、内管の側面には上記スリットノズル口位置と重ならない位置に外管内にスチームを流出させる流出口が形成されているのが望ましい。
これにより、内管の流出口から流出したスチームは、外管と内管の間の空間に充填されることで、増圧されるとともに長手方向にわたって均圧化される。従って、外管に形成するスリットノズル口からは、全長にわたって均一にスチームが噴射される。よって、持続性のあるスチームカーテンを良好に形成することができ、被洗浄物に付着した油分等を迅速に且つ確実に除去することができる。
【００１２】
また、本発明に係るスチーム洗浄装置は、
油分や汚れ等が付着した加工品又は加工品を形成した帯材などの被洗浄物を設備とインラインにて洗浄するための洗浄装置であって、
設備に隣接して設置され、設備から送り出される被洗浄物又は設備へ送り込まれる被洗浄物に対してスチームを噴き付けてスチーム洗浄するスチーム噴射手段を備え、
スチーム噴射手段は、円筒状の外周壁部及び内周壁部を形成する二重管構造とし内周壁部内を通過する上記被洗浄物にスチームを噴射するように構成したスチーム噴射体を有し、
スチーム噴射体は、両端部における外周壁部と内周壁部との間のすき間が閉塞され、外周壁部と内周壁部との間の空間にスチームを導入するスチーム導入管が外周壁部に接続され、内周壁部には周方向の全周にわたってスリット状に開口してスチームを噴射させる環状スリットノズル口が開口形成され、外周壁部内の空間に導入されたスチームを内周壁部の環状スリットノズル口から円形状に噴射させ、これに内周壁部内に送り込まれる被洗浄物を通過させる構成としたものである。
【００１３】
上記構成より、過熱蒸気であるスチームを円形状に噴射し、この円形状スチームに油分や汚れ等が付着した被洗浄物を通過させることにより、被洗浄物の表裏全域にわたってスチームが勢いよく噴き付けられる。スチーム導入管から導入されるスチームは、外周壁部と内周壁部との間の空間に充填されることで、増圧されるとともに当該空間の周方向全周にわたって均圧化される。従って、内周壁部に形成する環状スリットノズル口からは、全周にわたって均一にスチームが噴射される。よって、持続性のある円形状スチームを良好に形成することができ、これを通過する被洗浄物に付着した油分等を迅速に且つ確実に除去することができる。
【００１４】
上記環状スリットノズル口は、スチームの噴射方向が内周壁部の一端側に傾斜して噴射されるようにテーパ状断面に形成されているのが望ましい。
これにより、環状スリットノズル口から円形状に噴射したスチームが内周壁部の一端側へ向かって一方向に流されるので、環状スリットノズル口付近ではスチームの反射流等による乱流が抑えられて整流されるから、より一層持続性のある円形状スチームを良好に形成することができる。
【００１５】
上記スチーム噴射手段は、さらに、上記スチーム噴射体の軸方向に温風噴射体を接続してユニット化され、
温風噴射体は、円筒状の外周壁部及び内周壁部を形成する二重管構造とし上記被洗浄物が内周壁部内を通過するように構成し、両端部における外周壁部と内周壁部との間のすき間が閉塞され、外周壁部と内周壁部との間の空間に温風を導入する温風導入管が外周壁部に接続され、内周壁部には周方向の全周にわたって開口して温風を噴射させる環状温風噴射口が開口形成され、外周壁部内の空間に導入された温風を内周壁部の環状温風噴射口から噴射させてスチーム噴射体から噴射するスチーム温度の低下を防ぐように構成するのが望ましい。
これにより、温風噴射体から噴射する温風によって、スチーム噴射体における内周壁部内の雰囲気温度の低下が抑制されるから、環状スリットノズル口から噴射される円形状スチームの温度低下が抑制される。従って、スチームが結露して被洗浄物に水滴が付着することを防止することができ、洗浄後の被洗浄物の乾燥工程を省略することができる。
【００１６】
上記スチーム噴射手段は、さらに、上記スチーム噴射体の軸方向に被洗浄物の油分や汚れを吸引する筒状の吸引体が配設されているのが望ましい。
これにより、円形状スチームで除去された被洗浄物の油分や汚れを内周壁部の端部から外部へ撒き散らすことが防止される。
【発明の効果】
【００１７】
本発明によれば、スチームをカーテン状又は円形状に噴射させ、これに油分や汚れ等が付着した被洗浄物を通過させることにより、被洗浄物の洗浄を迅速且つ確実に行え、また、洗浄後の乾燥も省略できるから、例えば、プレス機の下流部や鍍金装置の上流部等のインラインで被洗浄物の脱脂洗浄等を良好に行うことができる。また、被洗浄物の洗浄をスチームによって行うから、溶剤を使用する場合のように環境への影響が心配されることもない。
【図面の簡単な説明】
【００１８】
【図１】実施形態１のスチーム洗浄装置を設備とインラインにて配設した様子を示す模式図である。
【図２】実施形態１のスチーム洗浄装置の構成を示す模式図である。
【図３】実施形態１のスチーム洗浄装置におけるスチーム噴射機構を示す正面図である。
【図４】実施形態１のスチーム洗浄装置におけるスチーム噴射機構の内部構造を示す断面模式図である。
【図５】実施形態２のスチーム洗浄装置を設備とインラインにて配設した様子を示す模式図である。
【図６】実施形態２のスチーム洗浄装置におけるスチーム噴射体を示す側面図である。
【図７】実施形態２のスチーム洗浄装置を構成するスチーム噴射機構を示す斜視図である。
【図８】実施形態２のスチーム洗浄装置を構成するスチーム噴射機構の内部構成を示す断面模式図である。
【発明を実施するための形態】
【００１９】
以下に、本発明の実施形態について図面を参照しながら説明する。
（実施形態１）
図１に示すように、実施形態によるスチーム洗浄装置１は、金属プレス加工機（設備）Ｍに隣接して設置され、金属プレス加工機Ｍでプレス加工されたターミナルや端子等の金属製の加工品（被洗浄物）Ｗに対してプレス加工されると続けてスチーム（過熱蒸気）を噴射させて脱脂洗浄する装置である。スチーム洗浄装置１は、金属プレス加工機Ｍの下流位置に設置され、金属プレス加工機Ｍから加工品Ｗが送り込まれるローラコンベア（搬送手段）２と、ローラコンベア２に設置され、加圧されたスチームをローラコンベア２に送り込まれた加工品Ｗに噴き付けてスチーム洗浄（脱脂洗浄）するスチーム噴射機構（スチーム噴射手段）３とを備える。
【００２０】
ローラコンベア２は、上下二段に配設され、上段ローラコンベア２１と下段ローラコンベア２２との間に加工品Ｗが送り込まれる。下段ローラコンベア２２は、加工品Ｗが下流側へ搬送されるように一部又は全部のローラが回転駆動される。なお、ローラコンベア２は、一段設置するものでもよい。また、搬送手段として、ローラコンベア２に限らず、アクチュエータ、ロボット等の各種の手段を使用することができる。
【００２１】
スチーム噴射機構３は、ローラコンベア２の上下に位置を違えてそれぞれ１台ずつ配設されている。ただし、スチーム噴射機構３は、ローラコンベア２の同じ位置で上下に１台ずつ設定されてもよい。また、スチーム噴射機構３は、上下のどちらか一方に設定されるものでもよい。
スチーム噴射機構３は、過熱蒸気であるスチームをカーテン状に噴き出してこのスチームカーテンにローラコンベア２に送り込まれた加工品Ｗを通過させるように構成されている。スチーム噴射機構３は、これより噴射するスチームがローラコンベア２を構成するローラ間を通過するように配置される。また、ローラコンベア２におけるスチーム噴射機構３の配設位置のローラ２３ａは、他の位置のローラ２３よりもローラ径の小さいものが設置される。これらより、スチーム噴射機構３から噴射するカーテン状のスチームがローラコンベア２に遮られず、上下段のローラコンベア２１，２２間に搬送される加工品Ｗに対して確実に噴き付けられる。なお、上下のスチーム噴射機構３と対向してローラコンベア２を跨ぐ位置には、スチーム噴射機構３のスチームで除去された加工品Ｗの油分や汚れを吸引するための吸引器（吸引手段）７が設置されている。
【００２２】
このように、本実施形態によれば、スチーム噴射機構３によって過熱蒸気であるスチームをカーテン状に噴射し、このスチームカーテンに油分や汚れが付着した加工品Ｗを通過させるから、加工品Ｗの全域にわたってスチームを勢いよく噴き付けることができる。そして、スチーム噴射機構３をローラコンベア２の上下に配置するので、カーテン状のスチームを加工品Ｗの表裏面に噴き付け、加工品Ｗの表裏面に付着した油分等を迅速に且つ確実に除去することができる。また、加工品Ｗが上下段のローラコンベア２間に送り込まれることで、スチームの噴き付けによって加工品Ｗがローラコンベア２外へ吹き飛ばされることが防止される。また、加工品Ｗの下側からスチームを噴き付けても、加工品Ｗが上段ローラコンベア２１に押え込まれるので、加工品Ｗに対して下側からのカーテン状スチームの噴き付けをも均一に行うことができる。
【００２３】
次に、スチーム噴射機構３の構成について説明する。
図２に示すように、スチーム噴射機構３は、スチームを噴射させるノズル口５１を側面に開口形成する細長い円筒状のスチームノズル管５と、スチームノズル管５の外周を包囲しスチームノズル管５のノズル口５１の全体を露出させた噴出口６１を側面に開口形成する円筒状の温風管６とを備える。
【００２４】
スチームノズル管５は、ノズル口５１を長手方向に沿ってスリット状に開口形成したスリットノズル口５１とし、両端部にスチーム導入管５２を接続して各スチーム導入管５２から導入されるスチームをスリットノズル口５１からカーテン状に噴射させる構成とする。スチーム導入管５２は、図示しないスチーム生成器から引き延ばされたスチーム元管５３の端末に接続する３方分岐管５４の２つの出口ポートのそれぞれに一端が接続され他端がスチームノズル管５の端部に接続されている。スリットノズル口５１として、スリット幅は、スリット長さ１００に対して２〜８の割合となる大きさに設定されるのが好ましい。例えば、スリット長さが１００ｍｍであれば、スリット幅は２〜８ｍｍの範囲で設定される。これにより、スリットノズル口５１の全長にわたって持続性のあるカーテン状のスチームを噴射することができる。また、スリットノズル口５１から噴射するスチーム噴射圧は、加工品Ｗの油分や汚れを効率よく落とすには、例えば、０．６ＭＰａ以上とする。なお、このスチーム噴射圧は、０．６〜０．８ＭＰａの範囲で設定することができる。
【００２５】
スチームノズル管５は、スリットノズル口５１を形成する円筒状の外管８１と、外管８１内に空間を有して挿入されて両端部にスチーム導入管５２を接続する円筒状の内管８２とを備える二重管構造を有し、内管８２の側面にはスリットノズル口５１位置と重ならない位置（例えば、スリットノズル口５１の１８０度位置）に外管８１内にスチームを流出させる流出口８３が形成された構造となっている。これにより、内管８２の流出口８３から流出したスチームは、外管８１と内管８２の間の空間に充填されることで、増圧されるとともに長手方向にわたって均圧化される。従って、外管８１に形成するスリットノズル口５１からは、全長にわたって均一にスチームが噴射される。よって、持続性のあるスチームカーテンを良好に形成することができ、加工品Ｗに付着した油分等を迅速に且つ確実に除去することができる。
【００２６】
温風管６は、側面の中間部に温風導入管６２を接続して温風導入管６２から導入される温風を噴出口６１から噴射させる構成とする。温風管６には、セラミックヒータ等の加熱源（不図示）が内蔵されており、また、温風管６の上流位置には送風機（不図示）が設置されている。送風機は、例えば、シロッコファン、ファンモータ、サイクロン等の各種のものが使用することができる。この送風機を回転駆動させることで温風管６内に空気が引き込まれ、この空気が内蔵の加熱源によって加熱されて温風となって噴出口６１から噴射される。噴出口６１から噴射される温風は、噴出口６１がスチームノズル管５のスリットノズル口５１よりも大きくスリットノズル口５１の全体を露出させるように温風管６に開口形成されているので、スチームノズル管５から噴射されるカーテン状スチームの外周囲に沿って噴射される。
【００２７】
そして、スチーム噴射機構３は、長手方向をローラコンベア２での加工品Ｗ送り方向と直交する方向に向けるとともに噴出口６１をローラコンベア２側に垂直に向けて配設し、噴出口６１からはスチームノズル管５のスリットノズル口５１から噴射する加圧されたカーテン状のスチームとともにカーテン状スチームの外周囲に温風管６内の温風を噴射させ、これにローラコンベア２に配置される加工品Ｗを通過させる。これにより、加圧されたスチームをカーテン状に噴射しこのスチームカーテンに油分や汚れ等が付着した加工品Ｗを通過させることで加工品Ｗの全域にわたってスチームが勢いよく噴き付けられる。スチームノズル管５には、両端部からスチームが導入されるので、両端部から離れたスリットノズル口５１の中央部からも勢いが弱くならずにスチームが噴射される。これにより、スリットノズル口５１の全長にわたってスチームが均一に噴射され、持続性のあるスチームカーテンが形成される。従って、このカーテン状のスチームの噴き付けによって、加工品Ｗに付着した油分や汚れが迅速に且つ確実に除去される。また、カーテン状スチームの外周囲に温風をまとわせて噴射することにより、スチームの温度低下が抑制されるから、スチームが結露して加工品Ｗに水滴が付着することを防止することができる。従って、このスチーム洗浄後の加工品Ｗに対して乾燥工程を省略することができる。
【００２８】
また、スチームノズル管５には加熱体４が設けられ、噴出口６１周辺の雰囲気に熱を与えるように構成されている（図４参照）。加熱体４は、例えば、ニクロム線式等のヒータやスチームノズル管５の熱を放熱させる種々の熱伝導体などが使用される。なお、加熱体４は、スチームノズル管５側ではなく、温風管６側に設けてもよい。この加熱体４からの放熱によって、噴出口６１から噴射したカーテン状スチームの温度低下を防ぐことができるから、加工品Ｗの油分等の除去を一層迅速に且つ一層確実に行うことができ、また、加工品Ｗにおけるスチームの結露を確実に防止することができる。
【００２９】
（実施形態２）
図５に示すように、実施形態２のスチーム洗浄装置１Ａは、円筒状に形成されたスチーム噴射機構３Ａを備え、スチーム噴射機構３Ａは、金属プレス加工機Ｍの下流位置に設置される。金属プレス加工機Ｍは、金型で端子等の加工品をプレス加工で形成した帯材（被洗浄物）Ｗ１を繰り出し、この帯材Ｗ１を下流位置の巻取りリール１１に巻き取るように構成されている。スチーム噴射機構３Ａは、金属プレス加工機Ｍと巻取りリール１１との間に設置され、金属プレス加工機Ｍから繰り出される帯材Ｗ１を一方の円筒端部から挿入して円筒内部に通し他方の円筒端部から送り出させるように構成される。
【００３０】
図６に示すように、スチーム噴射機構３Ａは、円筒内部においてスチーム（過熱蒸気）が円形状に噴射される。従って、スチーム噴射機構３Ａの円筒内部に金属プレス加工機Ｍから繰り出される帯材Ｗ１を連続的に移送させることで帯材Ｗ１の全周に円形状スチームが噴き付けられながら通過し、帯材Ｗ１に形成された加工品が連続的にスチーム洗浄（脱脂洗浄）される。
【００３１】
図７に示すように、スチーム噴射機構３Ａは、いずれも円筒状に形成されたスチーム噴射体５Ａと、温風噴射体６Ａと、吸引体７Ａとを有し、スチーム噴射体５Ａを真ん中に配置して軸方向の両端にそれぞれ温風噴射体６Ａと吸引体７Ａとを接続してユニット化されている。
【００３２】
図８も参照して、スチーム噴射体５Ａは、円筒内部においてスチームを円形状に噴射するものであり、円筒状の外周壁部５８１及び内周壁部５８２を形成する二重管構造とする。スチーム噴射体５Ａの両端部には、外周壁部５８１と内周壁部５８２との間のすき間が気密に閉塞されるようにリング状の蓋部材５８３が取り付けられている。外周壁部５８１における外周面の軸方向中間位置には、外周壁部５８１と内周壁部５８２との間の空間にスチームを導入するスチーム導入管５２が接続されている。内周壁部５８２の軸方向中間位置には、周方向の全周にわたって環状スリットノズル口５１Ａがスリット状に開口形成され、この環状スリットノズル口５１Ａによって内周壁部５８２内に加圧されたスチームが円形状に噴射される。
【００３３】
以上の構成より、スチーム導入管５２から導入されるスチームは、外周壁部５８１と内周壁部５８２との間の空間に充填されることで増圧されるとともに当該空間の周方向全周域にわたって均圧化される。従って、環状スリットノズル口５１Ａからは全周にわたって均一にスチームが噴射される。また、環状スリットノズル口５１Ａのスリット幅や環状スリットノズル口５１Ａから噴射するスチーム噴射圧については、実施形態１におけるスチームノズル管５のスリットノズル口５１と同様に設定される。従って、環状スリットノズル口５１Ａの全周にわたって持続性のある円形状のスチームを噴射することができる。
【００３４】
また、環状スリットノズル口５１Ａの断面は、径方向に真っ直ぐ向かう断面形状でもよいが、スチーム噴射方向が内周壁部５８２の一端側に傾斜して噴射されるようにテーパ状断面５００に形成されるのが好ましく、図８の例では、スチーム噴射方向が帯材Ｗ１の移送方向下流側へ向けて噴射されるテーパ状断面５００となっている。従って、環状スリットノズル口５１Ａ付近では噴射するスチームの反射流等による乱流が抑えられて整流されるから、より一層持続性のある円形状スチームが形成される。
【００３５】
温風噴射体６Ａは、スチーム噴射体５Ａにおける帯材移送方向の上流側端部に接続され、円筒内部において温風を円形状に噴射する。この温風噴射体６Ａは、スチーム噴射体５Ａと略同様の構成を有するが、温風噴射体６Ａでは、スチーム導入管５２に代えて温風導入管６２が接続され、内周壁部５８２には環状スリットノズル口５１Ａに代えて温風を噴射させる環状温風噴射口６１Ａが開口形成されている。環状温風噴射口６１Ａの開口幅は、環状スリットノズル口５１Ａのスリット幅と同じか、それよりも幅広に形成される。また、環状温風噴射口６１Ａの断面は、温風噴射方向が径方向に真っ直ぐ向かう断面形状とされる。以上より、温風噴射体６Ａから噴射する温風によって、スチーム噴射体５Ａにおける内周壁部５８２内の雰囲気温度の低下が抑制されるから、環状スリットノズルから噴射される円形状スチームの温度低下が抑制される。従って、スチームが結露して帯材Ｗ１表面に水滴が付着することを防止することができ、スチーム洗浄後の帯材Ｗ１の乾燥工程を省略することができる。
【００３６】
なお、スチーム噴射体５Ａ、温風噴射体６Ａの両方又は一方の内周壁部５８２等には、スチーム噴射体５Ａの環状スリットノズル口５１Ａ周辺の雰囲気に熱を与えるための加熱体４を設けるようにしてもよい。加熱体４としては、ヒータや熱伝導体等を使用することができる。環状スリットノズル口５１Ａから噴射した円形状スチームの温度低下を防ぐことができるから、帯材Ｗ１の油分等の除去を一層迅速に且つ一層確実に行うことができ、また、帯材Ｗ１におけるスチームの結露を確実に防止することができる。
【００３７】
吸引体７Ａは、スチーム噴射体５Ａにおける帯材移送方向の下流側端部に接続され、円筒内部において飛散する帯材Ｗ１の油分や汚れを吸引するものである。この吸引体７Ａも、スチーム噴射体５Ａと略同様の構成を有するが、吸引体７Ａでは、スチーム導入管５２に代えて吸引管７２Ａが接続され、内周壁部５８２には環状スリットノズル口５１Ａに代えて帯材Ｗ１の油分や汚れを吸引するための環状吸引口７１Ａが開口形成されている。環状吸引口７１Ａの開口幅は、環状スリットノズル口５１Ａや環状温風口よりも幅広に形成され、また、環状吸引口７１Ａの断面は、径方向に真っ直ぐ向かう断面形状とされる。以上より、吸引体７Ａは、スチーム噴射体５Ａでの円形状スチームで除去された帯材Ｗ１の油分や汚れが吸引されるから、帯材Ｗ１の油分や汚れがスチーム噴射機構３の円筒端部から外部へ撒き散らすことが防止される。
【００３８】
以上のように、実施形態２のスチーム洗浄装置１Ａでは、スチーム噴射体５Ａ、温風噴射体６Ａ及び吸引体７Ａの各内周壁部５８２の内側空間がスチーム噴射機構３Ａの円筒内部を形成する。そして、金属プレス加工機Ｍから繰り出される帯材Ｗ１をスチーム噴射機構３Ａの一方の円筒端部から他方の円筒端部に向けて円筒内部を通過させると、帯材Ｗ１は、まず温風噴射体６Ａの位置で温風が噴き付けられて温められ、次いでスチーム噴射体５Ａの位置に移送されると円形状スチームが帯材Ｗ１の全周にわたって勢いよく噴き付けられながら通過する。これにより、金属プレス加工機Ｍから送り込まれた帯材Ｗ１は、温風噴き付けにより温められることで表面に付着した油分や汚れが浮き上がり、続けて円形状スチームの噴き付けにより帯材Ｗ１表面の油分や汚れが迅速に且つ確実に除去される。ここで除去された油分や汚れは、円筒内部の全域に作用している吸引体７Ａの吸引作用によって下流側の吸引体７Ａ側へ流れ、吸引体７Ａの環状吸引口７１Ａから吸い込まれる。
【００３９】
なお、本発明に係るスチーム洗浄装置は、上記実施形態に限定されず、本発明の要旨の範囲内で種々の変更を施すことが可能である。
例えば、スチーム洗浄装置は、鍍金装置の上流位置に配設して鍍金槽へ送り込まれる手前で加工品・帯材（被洗浄物）をスチーム洗浄するように構成してもよい。
また、スチーム洗浄装置を隣接して設置する設備は、金属プレス加工機や鍍金装置等には限られず、被洗浄物に付着した油分や汚れの除去が要求される各種の設備に適用可能である。
被洗浄物としては、プレス加工品のみならず、線加工品、鍍金処理前の加工品、成形品等のように機械設備で加工され油分や汚れが付着した加工品自体又は加工品を形成した帯材が含まれる。
【符号の説明】
【００４０】
１，１Ａ  スチーム洗浄装置
２  ローラコンベア（搬送手段）
３，３Ａ  スチーム噴射機構
４  加熱体
５  スチームノズル管
５Ａ  スチーム噴射体
６  温風管
６Ａ  温風噴射体
７  吸引器
７Ａ  吸引体
１１  巻取りリール
２１  上段ローラコンベア
２２  下段ローラコンベア
５１  スリットノズル口
５１Ａ  環状スリットノズル口
５２，５２Ａ  スチーム導入管
６１  噴出口
６１Ａ  環状温風噴射口
６２  温風導入管
６２Ａ  温風導入管
７１Ａ  環状吸引口
７２Ａ  吸引管
８１  外管
８２  内管
８３  流出口
５００  テーパ状断面
５８１  外周壁部
５８２  内周壁部
５８３  蓋部材
Ｍ  金属プレス加工機（設備）
Ｗ  加工品（被洗浄物）
Ｗ１  帯材（被洗浄物）
【図１】
2015085216.tif 000003
【図２】
2015085216.tif 000004
【図３】
2015085216.tif 000005
【図４】
2015085216.tif 000006
【図５】
2015085216.tif 000007
【図６】
2015085216.tif 000008
【図７】
2015085216.tif 000009
【図８】
2015085216.tif 000010
【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
油分や汚れ等が付着した加工品又は加工品を形成した帯材などの被洗浄物を洗浄するための洗浄装置であって、
上記被洗浄物が配置される搬送手段と、搬送手段に設置され、搬送手段に配置された被洗浄物に対してスチームを噴き付けてスチーム洗浄するスチーム噴射手段とを備え、
上記スチーム噴射手段は、スチームを噴射させるノズル口を側面に開口形成する細長い円筒状のスチームノズル管と、スチームノズル管の外周を包囲しスチームノズル管のノズル口の全体を露出させた噴出口を側面に開口形成する温風管とを有し、
上記スチームノズル管は、上記ノズル口を長手方向に沿ってスリット状に開口形成したスリットノズル口とし、両端部にスチーム導入管を接続して当該スリットノズル口からスチームをカーテン状に噴射させる構成とし、
上記温風管は、温風導入管を接続して上記噴出口から温風を噴射させる構成とし、
上記スチーム噴射手段は、長手方向を搬送手段での被洗浄物送り方向と交差する方向に向けるとともに上記噴出口を搬送手段側に向けて配設し、上記噴出口からはスチームノズル管のスリットノズル口から噴射するカーテン状のスチームとともに当該カーテン状スチームの外周囲に温風管内の温風を噴射させ、これに搬送手段に配置される被洗浄物を通過させる構成としたスチーム洗浄装置。
【請求項２】
請求項１に記載のスチーム洗浄装置において、
上記スチーム噴射手段は、さらに、スチームノズル管又は温風管に加熱体を配設して噴出口周辺の雰囲気に熱を与えるように構成したスチーム洗浄装置。
【請求項３】
請求項１又は２に記載のスチーム洗浄装置において、
上記スチーム噴射手段は、上記搬送手段の上下に配設されているスチーム洗浄装置。
【請求項４】
請求項１〜３のいずれか１項に記載のスチーム洗浄装置において、
上記スチーム噴射手段と対向して上記搬送手段を跨ぐ位置に被洗浄物の油分や汚れを吸引する吸引手段がさらに設けられているスチーム洗浄装置。
【請求項５】
請求項１〜４のいずれか１項に記載のスチーム洗浄装置において、
上記スチームノズル管は、上記スリットノズル口を形成する円筒状の外管と、外管内に空間を有して挿入されて両端部に上記スチーム導入管を接続する円筒状の内管とを有し、内管の側面には上記スリットノズル口位置と重ならない位置に外管内にスチームを流出させる流出口が形成されているスチーム洗浄装置。
【請求項６】
油分や汚れ等が付着した加工品又は加工品を形成した帯材などの被洗浄物を洗浄するための洗浄装置であって、
上記被洗浄物に対してスチームを噴き付けてスチーム洗浄するスチーム噴射手段を備え、
上記スチーム噴射手段は、円筒状の外周壁部及び内周壁部を形成する二重管構造とし内周壁部内を通過する上記被洗浄物にスチームを噴射するように構成したスチーム噴射体を有し、
上記スチーム噴射体は、両端部における外周壁部と内周壁部との間のすき間が閉塞され、外周壁部と内周壁部との間の空間にスチームを導入するスチーム導入管が外周壁部に接続され、内周壁部には周方向の全周にわたってスリット状に開口してスチームを噴射させる環状スリットノズル口が開口形成され、外周壁部内の空間に導入されたスチームを内周壁部の環状スリットノズル口から円形状に噴射させ、これに内周壁部内に送り込まれる被洗浄物を通過させる構成としたスチーム洗浄装置。
【請求項７】
請求項６に記載のスチーム洗浄装置において、
上記環状スリットノズル口は、スチームの噴射方向が内周壁部の一端側に傾斜して噴射されるようにテーパ状断面に形成されているスチーム洗浄装置。
【請求項８】
請求項６又は７に記載のスチーム洗浄装置において、
上記スチーム噴射手段は、さらに、上記スチーム噴射体の軸方向に温風噴射体を接続してユニット化され、
上記温風噴射体は、円筒状の外周壁部及び内周壁部を形成する二重管構造とし上記被洗浄物が内周壁部内を通過するように構成し、両端部における外周壁部と内周壁部との間のすき間が閉塞され、外周壁部と内周壁部との間の空間に温風を導入する温風導入管が外周壁部に接続され、内周壁部には周方向の全周にわたって開口して温風を噴射させる環状温風噴射口が開口形成され、外周壁部内の空間に導入された温風を内周壁部の環状温風噴射口から噴射させてスチーム噴射体から噴射するスチーム温度の低下を防ぐように構成したスチーム洗浄装置。
【請求項９】
請求項６〜８のいずれか１項に記載のスチーム洗浄装置において、
上記スチーム噴射手段は、さらに、上記スチーム噴射体の軸方向に被洗浄物の油分や汚れを吸引する筒状の吸引体が配設されているスチーム洗浄装置。
【手続補正２】
【補正対象書類名】明細書
【補正対象項目名】０００６
【補正方法】変更
【補正の内容】
【０００６】
本発明に係るスチーム洗浄装置は、
油分や汚れ等が付着した加工品又は加工品を形成した帯材などの被洗浄物を洗浄するための洗浄装置であって、
上記被洗浄物が配置される搬送手段と、搬送手段に設置され、搬送手段に配置された被洗浄物に対してスチームを噴き付けてスチーム洗浄するスチーム噴射手段とを備え、
上記スチーム噴射手段は、スチームを噴射させるノズル口を側面に開口形成する細長い円筒状のスチームノズル管と、スチームノズル管の外周を包囲しスチームノズル管のノズル口の全体を露出させた噴出口を側面に開口形成する温風管とを有し、
上記スチームノズル管は、上記ノズル口を長手方向に沿ってスリット状に開口形成したスリットノズル口とし、両端部にスチーム導入管を接続して当該スリットノズル口からスチームをカーテン状に噴射させる構成とし、
上記温風管は、温風導入管を接続して上記噴出口から温風を噴射させる構成とし、
上記スチーム噴射手段は、長手方向を搬送手段での被洗浄物送り方向と交差する方向に向けるとともに上記噴出口を搬送手段側に向けて配設し、上記噴出口からはスチームノズル管のスリットノズル口から噴射するカーテン状のスチームとともに当該カーテン状スチームの外周囲に温風管内の温風を噴射させ、これに搬送手段に配置される被洗浄物を通過させる構成としたものである。
【手続補正３】
【補正対象書類名】明細書
【補正対象項目名】０００７
【補正方法】変更
【補正の内容】
【０００７】
上記構成より、スチームをカーテン状に噴射し、このスチームカーテンに油分や汚れ等が付着した被洗浄物を通過させることにより、被洗浄物の表面全体にわたってスチームが勢いよく噴き付けられる。スチームノズル管には、両端部からスチームが導入されるので、両端部から離れたスリットノズル口の中央部からも勢いが弱くならずにスチームが噴射される。これにより、スリットノズル口の全長にわたってスチームが均一に噴射され、持続性のあるスチームカーテンが形成される。従って、このカーテン状のスチームの噴き付けによって、被洗浄物に付着した油分等が迅速に且つ確実に除去される。また、カーテン状スチームの外周囲に温風をまとわせて噴射することにより、スチームの温度低下が抑制されるから、スチームが結露して被洗浄物に水滴が付着することを防止することができる。従って、洗浄後の被洗浄物に対して乾燥工程を省略することができる。
【手続補正４】
【補正対象書類名】明細書
【補正対象項目名】００１２
【補正方法】変更
【補正の内容】
【００１２】
また、本発明に係るスチーム洗浄装置は、
油分や汚れ等が付着した加工品又は加工品を形成した帯材などの被洗浄物を洗浄するための洗浄装置であって、
上記被洗浄物に対してスチームを噴き付けてスチーム洗浄するスチーム噴射手段を備え、
上記スチーム噴射手段は、円筒状の外周壁部及び内周壁部を形成する二重管構造とし内周壁部内を通過する上記被洗浄物にスチームを噴射するように構成したスチーム噴射体を有し、
上記スチーム噴射体は、両端部における外周壁部と内周壁部との間のすき間が閉塞され、外周壁部と内周壁部との間の空間にスチームを導入するスチーム導入管が外周壁部に接続され、内周壁部には周方向の全周にわたってスリット状に開口してスチームを噴射させる環状スリットノズル口が開口形成され、外周壁部内の空間に導入されたスチームを内周壁部の環状スリットノズル口から円形状に噴射させ、これに内周壁部内に送り込まれる被洗浄物を通過させる構成としたものである。
【手続補正５】
【補正対象書類名】明細書
【補正対象項目名】００１３
【補正方法】変更
【補正の内容】
【００１３】
上記構成より、スチームを円形状に噴射し、この円形状スチームに油分や汚れ等が付着した被洗浄物を通過させることにより、被洗浄物の表裏全域にわたってスチームが勢いよく噴き付けられる。スチーム導入管から導入されるスチームは、外周壁部と内周壁部との間の空間に充填されることで、増圧されるとともに当該空間の周方向全周にわたって均圧化される。従って、内周壁部に形成する環状スリットノズル口からは、全周にわたって均一にスチームが噴射される。よって、持続性のある円形状スチームを良好に形成することができ、これを通過する被洗浄物に付着した油分等を迅速に且つ確実に除去することができる。
【手続補正６】
【補正対象書類名】明細書
【補正対象項目名】００１５
【補正方法】変更
【補正の内容】
【００１５】
上記スチーム噴射手段は、さらに、上記スチーム噴射体の軸方向に温風噴射体を接続してユニット化され、
上記温風噴射体は、円筒状の外周壁部及び内周壁部を形成する二重管構造とし上記被洗浄物が内周壁部内を通過するように構成し、両端部における外周壁部と内周壁部との間のすき間が閉塞され、外周壁部と内周壁部との間の空間に温風を導入する温風導入管が外周壁部に接続され、内周壁部には周方向の全周にわたって開口して温風を噴射させる環状温風噴射口が開口形成され、外周壁部内の空間に導入された温風を内周壁部の環状温風噴射口から噴射させてスチーム噴射体から噴射するスチーム温度の低下を防ぐように構成するのが望ましい。
これにより、温風噴射体から噴射する温風によって、スチーム噴射体における内周壁部内の雰囲気温度の低下が抑制されるから、環状スリットノズル口から噴射される円形状スチームの温度低下が抑制される。従って、スチームが結露して被洗浄物に水滴が付着することを防止することができ、洗浄後の被洗浄物の乾燥工程を省略することができる。